(57)【要約】【課題】  連動データの概要を早期に示して利用者の利便性を図り、また、その連動データの利用を促す。【解決手段】  連動データ取得部３１０はＥＰＧ３９１およびチャンネルリスト３９２に従って連動データを取得する。補助画面生成部３２０は連動データに基づいて補助画面を生成して連動データバッファ３３０に蓄積する。イベント検知部３５０により所定のイベントが検知されると、表示制御部３６０は映像処理部３４０からの映像信号と連動データバッファ３３０に蓄積された補助画面とを適宜組み合わせて表示部３８０に表示させるよう制御する。モード保持部３７０は表示制御部３６０における表示モードを保持する。【選択図】      図３
2006135866.tif 000002
【特許請求の範囲】
【請求項１】
放送信号から所定のチャンネルにおける連動データを取得する連動データ取得手段と、
前記連動データに基づいて連動データ表示画面の概要を示す補助画面を生成する補助画面生成手段と、
前記補助画面生成手段で生成された前記補助画面を蓄積する連動データ保持手段と、
所定のイベントを検知するイベント検知手段と、
前記イベント検知手段において前記イベントが検知されると前記連動データ保持手段に蓄積された前記補助画面を表示させるよう制御する表示制御手段と
を具備することを特徴とする表示制御装置。
【請求項２】
前記チャンネルは視聴中のチャンネル以外のチャンネルであることを特徴とする請求項１記載の表示制御装置。
【請求項３】
前記放送信号に含まれるチャンネルのリストを保持するチャンネルリスト保持手段をさらに具備し、
前記連動データ取得手段は、前記チャンネルリスト保持手段に保持されたチャンネルリストに従って連動データを取得する
ことを特徴とする請求項１記載の表示制御装置。
【請求項４】
前記放送信号に含まれる番組表を保持する番組表保持手段をさらに具備し、
前記連動データ取得手段は、前記チャンネルリスト保持手段に保持されたチャンネルリストに従って連動データを取得する際に所定の時刻が到来することにより新規に番組が開始した場合にはその新規番組を含むチャンネルの連動データを優先して取得する
ことを特徴とする請求項１記載の表示制御装置。
【請求項５】
操作入力を受け付ける操作入力受付手段をさらに具備し、
前記イベント検知手段は、前記操作入力受付手段により受け付けられた操作入力に応じて前記イベントを検知する
ことを特徴とする請求項１記載の表示制御装置。
【請求項６】
前記イベント検知手段は、前記操作入力受付手段における画面表示ボタンが押下された際に前記イベントを検知する
ことを特徴とする請求項５記載の表示制御装置。
【請求項７】
前記イベント検知手段は、前記操作入力受付手段における入力切替ボタンが押下された際に前記イベントを検知する
ことを特徴とする請求項５記載の表示制御装置。
【請求項８】
前記イベント検知手段は、前記操作入力受付手段における音量ボタンが押下された際に前記イベントを検知する
ことを特徴とする請求項５記載の表示制御装置。
【請求項９】
前記イベント検知手段は、前記操作入力受付手段における数字ボタンまたはチャンネルボタンが押下された際に前記イベントを検知する
ことを特徴とする請求項５記載の表示制御装置。
【請求項１０】
前記イベント検知手段は、視聴中の番組においてコマーシャルに移行しもしくはコマーシャルから戻った際に前記イベントを検知する
ことを特徴とする請求項１記載の表示制御装置。
【請求項１１】
前記補助画面を表示させる際の表示モードを保持するモード保持手段をさらに具備し、
前記表示制御手段は、前記表示モードが表示を指定している場合に限り前記補助画面を表示させる
ことを特徴とする請求項１記載の表示制御装置。
【請求項１２】
前記表示制御手段は、前記表示モードが自動消去を指定している場合には前記補助画面の表示を所定時間経過後に消去させる
ことを特徴とする請求項１１記載の表示制御装置。
【請求項１３】
放送信号を受信する受信手段と、
前記放送信号から所定のチャンネルにおける連動データを取得する連動データ取得手段と、
前記連動データに基づいて連動データ表示画面の概要を示す補助画面を生成する補助画面生成手段と、
前記補助画面生成手段で生成された前記補助画面を蓄積する連動データ保持手段と、
所定のイベントを検知するイベント検知手段と、
前記イベント検知手段において前記イベントが検知されると前記連動データ保持手段に蓄積された前記補助画面を表示させるよう制御する表示制御手段と
を具備することを特徴とする受信装置。
【請求項１４】
前記表示制御手段による制御に従って前記補助画面を表示する表示手段をさらに具備することを特徴とする請求項１５記載の受信装置。
【請求項１５】
放送信号から所定のチャンネルにおける連動データを取得する手順と、
前記連動データに基づいて連動データ表示画面の概要を示す補助画面を生成する手順と、
前記生成された補助画面を蓄積する手順と、
所定のイベントを検知する手順と、
前記イベントが検知されると前記蓄積された補助画面を表示させるよう制御する手順と
を具備することを特徴とする表示制御方法。
【請求項１６】
放送信号から所定のチャンネルにおける連動データを取得する手順と、
前記連動データに基づいて連動データ表示画面の概要を示す補助画面を生成する手順と、
前記生成された補助画面を蓄積する手順と、
所定のイベントを検知する手順と、
前記イベントが検知されると前記蓄積された補助画面を表示させるよう制御する手順と
をコンピュータに実行させることを特徴とするプログラム。
【発明の詳細な説明】
【技術分野】
【０００１】
本発明は、放送データ受信装置に関し、特にデジタル放送における番組連動データを表示させる表示制御装置、デジタル放送における番組連動データを受信する受信装置、および、当該装置における処理方法ならびに当該方法をコンピュータに実行させるプログラムに関する。
【背景技術】
【０００２】
デジタル放送においては、放送番組に連動した番組連動データを提供することができるようになっている。この連動データは放送番組の内容に関連する補足情報や追加情報などを利用者に知らせるものであり、放送番組毎に独自の内容が提供される。この連動データには文字、図形、静止画、動画、音声などが含まれ、連動データ全体を表示するためには所定の時間（例えば、５秒程度以上）を要することになる。
【０００３】
そのため、従来より、視聴中の放送番組について連動データの有無を調べ、連動データの存在を検知すると受信した連動データを記憶手段に保存し、その後、利用者の要求に応じて記憶手段上の連動データを使用する装置が提案されている（例えば、特許文献１参照。）。
【特許文献１】特開２００１−１５７１９３号公報（図１）
【発明の開示】
【発明が解決しようとする課題】
【０００４】
上述の従来技術では、利用者の要求とは独立して連動データを記憶手段に保存しており、その後の応答性を向上するという利点がある。しかしながら、視聴する番組を切り換えた直後では連動データ全体を表示するための十分なデータが揃わず、その間に利用者が連動データを要求した場合には連動データ全体が表示されるまで時間を要するという問題がある。
【０００５】
また、連動データとしてどのような内容が含まれているのかは、実際に連動データボタンを押下して全体を表示させてみないと分からず、そのような操作を不便に感じる利用者も存在し得る。特に従来のアナログ放送に慣れ親しんだ利用者にとっては、そのような連動データの存在に気付かないことも多く、仮に重要な情報が含まれていたとしても利用されず、デジタル放送としての機能が十分発揮されないおそれがある。
【０００６】
そこで、本発明は、連動データの概要を早期に示して利用者の利便性を図り、また、その連動データの利用を促すことを目的とする。
【課題を解決するための手段】
【０００７】
本発明は、上記課題を解決するためになされたものであり、その第１の側面は、放送信号から所定のチャンネルにおける連動データを取得する連動データ取得手段と、上記連動データに基づいて連動データ表示画面の概要を示す補助画面を生成する補助画面生成手段と、上記補助画面生成手段で生成された上記補助画面を蓄積する連動データ保持手段と、所定のイベントを検知するイベント検知手段と、上記イベント検知手段において上記イベントが検知されると上記連動データ保持手段に蓄積された上記補助画面を表示させるよう制御する表示制御手段とを具備することを特徴とする表示制御装置である。これにより、予め蓄積された補助画面を、検知されたイベントに応じて速やかに表示させるという作用をもたらす。
【０００８】
また、この第１の側面において、上記チャンネルは視聴中のチャンネル以外のチャンネルとすることができる。これにより、視聴中のチャンネルから他のチャンネルに切り替えられた際に補助画面を速やかに表示させるという作用をもたらす。
【０００９】
また、この第１の側面において、上記放送信号に含まれるチャンネルのリストを保持するチャンネルリスト保持手段をさらに具備することができ、その場合には上記連動データ取得手段が上記チャンネルリスト保持手段に保持されたチャンネルリストに従って連動データを取得させるという作用をもたらす。
【００１０】
また、この第１の側面において、上記放送信号に含まれる番組表を保持する番組表保持手段をさらに具備することができ、上記連動データ取得手段が上記チャンネルリスト保持手段に保持されたチャンネルリストに従って連動データを取得する際に所定の時刻が到来することにより新規に番組が開始した場合にはその新規番組を含むチャンネルの連動データを優先して取得させるという作用をもたらす。
【００１１】
また、この第１の側面において、操作入力を受け付ける操作入力受付手段をさらに具備することができ、その場合上記イベント検知手段は上記操作入力受付手段により受け付けられた操作入力に応じて上記イベントを検知することができる。ここで、イベントとしては、画面表示ボタンの押下、入力切替ボタンの押下、音量ボタンの押下、数字ボタンまたはチャンネルボタンの押下、または、コマーシャルに移行しもしくはコマーシャルから戻ったことなどを契機として発生することができる。
【００１２】
また、この第１の側面において、上記補助画面を表示させる際の表示モードを保持するモード保持手段をさらに具備することができ、この場合上記表示制御手段が上記表示モードが表示を指定している場合に限り上記補助画面を表示させるという作用をもたらす。この場合、上記表示制御手段は、上記表示モードが自動消去を指定している場合には上記補助画面の表示を所定時間経過後に消去させるようにしてもよい。
【００１３】
また、本発明の第２の側面は、放送信号を受信する受信手段と、上記放送信号から所定のチャンネルにおける連動データを取得する連動データ取得手段と、上記連動データに基づいて連動データ表示画面の概要を示す補助画面を生成する補助画面生成手段と、上記補助画面生成手段で生成された上記補助画面を蓄積する連動データ保持手段と、所定のイベントを検知するイベント検知手段と、上記イベント検知手段において上記イベントが検知されると上記連動データ保持手段に蓄積された上記補助画面を表示させるよう制御する表示制御手段とを具備することを特徴とする受信装置である。これにより、放送信号について予め蓄積された補助画面を、検知されたイベントに応じて速やかに表示させるという作用をもたらす。また、この第２の側面において、上記表示制御手段による制御に従って上記補助画面を表示する表示手段をさらに具備することができる。
【００１４】
また、本発明の第３の側面は、放送信号から所定のチャンネルにおける連動データを取得する手順と、上記連動データに基づいて連動データ表示画面の概要を示す補助画面を生成する手順と、上記生成された補助画面を蓄積する手順と、所定のイベントを検知する手順と、上記イベントが検知されると上記蓄積された補助画面を表示させるよう制御する手順とを具備することを特徴とする表示制御方法である。これにより、予め蓄積された補助画面を、検知されたイベントに応じて速やかに表示させるという作用をもたらす。
【００１５】
また、本発明の第４の側面は、放送信号から所定のチャンネルにおける連動データを取得する手順と、上記連動データに基づいて連動データ表示画面の概要を示す補助画面を生成する手順と、上記生成された補助画面を蓄積する手順と、所定のイベントを検知する手順と、上記イベントが検知されると上記蓄積された補助画面を表示させるよう制御する手順とをコンピュータに実行させることを特徴とするプログラムである。これにより、予め蓄積された補助画面を、検知されたイベントに応じて速やかに表示させるという作用をもたらす。
【発明の効果】
【００１６】
本発明によれば、連動データの概要を早期に示すことができ、さらにその連動データの利用を促すことができるという優れた効果を奏し得る。
【発明を実施するための最良の形態】
【００１７】
次に本発明の実施の形態について図面を参照して詳細に説明する。
【００１８】
図１は、本発明の実施の形態における受信装置１００の構成例を示す図である。この受信装置１００は、フロントエンド１１０と、デスクランブラ１２１と、デマルチプレクサ１２２と、映像デコーダ１３１と、音声デコーダ１３２と、重ね合せ制御回路１３４と、画像合成器１３５と、映像出力部１４１と、音声出力部１４２とを備える。また、フロントエンド１１０、デスクランブラ１２１およびデマルチプレクサ１２２は、バス１９５に接続される。このバス１９５には、プロセッサ１９１と、メモリ１９２と、リモコン受光部１９３と、入出力インターフェース１９４とがさらに接続される。
【００１９】
フロントエンド１１０は、アンテナ１０９から放送信号を受け取り、所定のデータを取り出すものである。ここでは、データとしてＭＰＥＧ（Moving Picture Expert Group）−２のトランスポートストリームを想定して説明する。このフロントエンド１１０は、チューナ１１１と、復調器１１２と、誤り訂正回路１１３とを備える。
【００２０】
チューナ１１１は、放送信号から予め定められたチャンネルの中間周波信号を選択する。復調器１１２は、チューナ１１１から出力された中間周波信号をデジタル信号として復調する。デジタル放送の符号化方式としては、８ＰＳＫ（Octuple Phase Shift Keying）やＱＰＳＫ（Quadrature Phase Shift Keying）等が利用される。誤り訂正回路１１３は、復調信号の誤り訂正を行うものであり、誤り訂正符号として畳み込み符号およびブロック符号が用いられる。
【００２１】
デスクランブラ１２１は、暗号化のためにスクランブルがかけられた信号を解読可能な状態に戻すものである。デマルチプレクサ１２２は、多重化された信号（トランスポートストリーム）の中から映像信号、音声信号またはデータ信号を分離するものである。映像信号は映像デコーダ１３１に、音声信号は音声デコーダ１３２に、データ信号はメモリ１９２に、それぞれ供給される。
【００２２】
映像デコーダ１３１および音声デコーダ１３２は、ＭＰＥＧ−２方式により符号化された映像信号または音声信号をそれぞれ復号するものである。重ね合せ制御回路１３４は、メモリ１９２に保持されたデータ信号の各プレーンを出力するものである。画像合成器１３５は、映像デコーダ１３１および重ね合せ制御回路１３４の出力を合成して映像出力部１４１に供給するものである。映像出力部１４１は、画像合成器１３５から供給された信号を画像として出力するものであり、例えば、ＬＣＤ（Liquid Crystal Display）等により実現され得る。音声出力部１４２は、音声デコーダ１３２の出力を音声として出力するものであり、例えば、スピーカ等により実現され得る。
【００２３】
プロセッサ１９１は、受信装置１００内の各部について、バス１９５を介して制御する。メモリ１９２は、プロセッサ１９１の作業領域であり、デマルチプレクサ１２２により分離されたデータ信号も保持される。リモコン受光部１９３は、リモコン２００からの赤外線信号等を受光し、リモコン２００における操作内容をプロセッサ１９１に伝えるものである。入出力インターフェース１９４は、他の機器と接続するためのインターフェースであり、例えば、ＩＥＥＥ１３９４等による接続を行うようにすることができる。
【００２４】
図２は、リモコン２００の外観例を示す図である。このリモコン２００は、電源ボタン２１０と、入力切替ボタン２２０と、数字ボタン２３０と、連動データボタン２４１と、画面表示ボタン２４２と、番組表ボタン２４３と、番組説明ボタン２４４と、カーソル移動／決定ボタン２５１乃至２５５と、音量ボタン２６０と、チャンネルボタン２７０と、赤外線出力部２９０とを備えている。
【００２５】
電源ボタン２１０は、受信装置１００の電源をオン状態もしくはオフ状態にするためのボタンである。入力切替ボタン２２０は、受信装置１００または映像出力部１４１および音声出力部１４２における入力ソースを切り替えるためのボタンである。数字ボタン２３０は、受信チャンネルを数字入力するためのボタンである。
【００２６】
連動データボタン２４１は、放送番組に連動する連動データを画面（すなわち、映像出力部１４１。以下同様。）上に表示させ、もしくは、その表示を消去するためのボタンである。この連動データボタン２４１は、俗に「ｄボタン」と略される場合もある。画面表示ボタン２４２は、選局中のチャンネルや番組情報等を画面上に表示させ、もしくは、その表示を消去するためのボタンである。番組表ボタン２４３は、チャンネル毎および時間毎に整理された番組表を画面上に表示させ、もしくは、その表示を消去するためのボタンである。番組説明ボタン２４４は、指定された放送番組に関する詳細情報を画面上に表示させ、もしくは、その表示を消去するためのボタンである。なお、この番組説明ボタン２４４は、「番組内容ボタン」として設けられる場合や、「オプションボタン」の一機能として提供される場合がある。
【００２７】
カーソル移動／決定ボタン２５１乃至２５５は、連動データや番組表等を表示している場合において、画面上のカーソルもしくは選択ボタンを移動させ、選択を決定させるためのボタンである。音量ボタン２６０およびチャンネルボタン２７０は、音量やチャンネルをそれぞれ上下させるためのボタンである。赤外線出力部２９０は、受信装置１００のリモコン受光部１９３に対して赤外線を出力するものであり、通常はリモコン２００の先端部に設けられる。
【００２８】
なお、リモコンには、他にも各種機能に関連したボタンを設けることが考えられるが、ここでは発明の説明に必要な最小限のものに限って記載した。従って、これ以外のボタンを設け、または、配置を変更することは適宜なされても構わない。
【００２９】
図３は、本発明の実施の形態における受信装置１００の機能構成例を示す図である。本発明の実施の形態では、その機能として、連動データ取得部３１０と、補助画面生成部３２０と、連動データバッファ３３０と、映像処理部３４０と、イベント検知部３５０と、表示制御部３６０と、モード保持部３７０と、表示部３８０と、電子番組ガイド（ＥＰＧ：Electronic Program Guide）３９１と、チャンネルリスト３９２とを備える。
【００３０】
連動データ取得部３１０は、トランスポートストリームに含まれる連動データを取得するものである。この連動データ取得部３１０は、視聴中のチャンネルに限らずチャンネルリスト３９２に列挙されたチャンネル番号に従って連動データを取得する。この際の取得対象は視聴中のチャンネルのもの以外としてもよい。このチャンネルリスト３９２は、受信対象となるチャンネル番号を保持するものであり、チャンネル番号が例えば昇順に列挙されている。このチャンネルリスト３９２におけるチャンネル番号の順序は任意の順序でよく、例えば視聴頻度の高い順に並べるようにしてもよい。
【００３１】
また、連動データ取得部３１０は、チャンネルリスト３９２に従って連動データを取得する際、所定の時刻が到来することにより新規に番組が開始した場合には、その新規番組を含むチャンネルの連動データを優先して取得するようにしてもよい。ここで、新規に番組が開始したか否かは、ＥＰＧ３９１を参照することにより判断することができる。このＥＰＧ３９１は、番組配列情報を利用して番組表を電子的に蓄積したものである。
【００３２】
補助画面生成部３２０は、連動データ取得部３１０により取得された連動データに基づいて連動データの概要を示す補助画面を作成するものである。この補助画面生成部３２０により作成された連動データの補助画面は連動データバッファ３３０に蓄積される。この連動データバッファ３３０に蓄積された連動データの補助画面は、表示制御部３６０に供給される。
【００３３】
映像処理部３４０は、トランスポートストリームに含まれる映像信号を復号するものである。この映像処理部３４０により復号された映像信号は、表示制御部３６０に供給される。
【００３４】
イベント検知部３５０は、所定のイベントを検知して表示制御部３６０に通知するものである。このイベントとしては、例えば、画面表示ボタン２４２が押下された時、入力切替ボタン２２０が押下された時、音量ボタン２６０が押下された時、数字ボタン２３０またはチャンネルボタン２７０が押下された時、コマーシャルに移行しもしくはコマーシャルから戻った時などを想定することができる。
【００３５】
表示制御部３６０は、イベント検知部３５０により検知されたイベントのタイミングに従って、映像処理部３４０により復号された映像信号とともに、連動データバッファ３３０に蓄積された連動データの補助画面を表示部３８０に表示させるよう制御するものである。
【００３６】
モード保持部３７０は、連動データの補助画面を表示部３８０に表示させる際の表示モードを保持するものである。表示制御部３６０は、このモード保持部３７０に保持された表示モードに従って、連動データの補助画面を表示部３８０に表示させることになる。
【００３７】
ここで、連動データ取得部３１０は、フロントエンド１１０およびプロセッサ１９１により実現され得る。補助画面生成部３２０およびイベント検知部３５０は、プロセッサ１９１により実現され得る。連動データバッファ３３０、モード保持部３７０、ＥＰＧ３９１およびチャンネルリスト３９２は、メモリ１９２により実現され得る。映像処理部３４０は、映像デコーダ１３１により実現され得る。表示制御部３６０は、重ね合せ制御回路１３４および画像合成器１３５により実現され得る。表示部３８０は、映像出力部１４１により実現され得る。
【００３８】
図４は、ＭＰＥＧ−２のトランスポートストリーム７００によるデータ構造を示す図である。トランスポートストリームで配送される信号には、映像信号７７１、音声信号７７２およびデータ信号７７３の他に、それらとプログラム（番組）との関係を規定する制御用のテーブルが含まれる。この制御用のテーブルは、プログラム仕様情報（ＰＳＩ：Program Specific Information）と呼ばれる。プログラム仕様情報（ＰＳＩ）には、プログラム結合テーブル（ＰＡＴ：Program Association Table）７１０、プログラムマップテーブル（ＰＭＴ：Program Map Table）７２０、および、ネットワーク情報テーブル（ＮＩＴ：Network Information Table）７３０等がある。
【００３９】
プログラム結合テーブル（ＰＡＴ）７１０は、トランスポートストリーム７００毎に設けられ、そのトランスポートストリーム７００内にどのようなプログラムが含まれているかを示すテーブルである。プログラムマップテーブル（ＰＭＴ）７２０は、プログラム毎に設けられ、そのプログラムに含まれる映像信号７７１、音声信号７７２およびデータ信号７７３を識別するためのパケット識別子（ＰＩＤ）やその復号方法を指定するテーブルである。このプログラムマップテーブル（ＰＭＴ）７２０のパケット識別子（ＰＩＤ）は、プログラム結合テーブル（ＰＡＴ）７１０により指定される。
【００４０】
ネットワーク情報テーブル（ＮＩＴ）７３０は、受信しているトランスポートストリーム７００を含むネットワークおよびそれ以外のネットワークにおいてどのようなサービスがあるかを示すテーブルである。なお、ＭＰＥＧ−２のトランスポートストリーム７００において、プログラム（番組）およびサービスは同義として扱われる。
【００４１】
図５は、トランスポートストリーム７００のパケット構成を示す図である。トランスポートストリームパケットは、パケットヘッダ７０１とペイロードから構成される。パケットヘッダ７０１には、同期バイトや誤り表示ビット等の他、パケット識別子（ＰＩＤ）７０２が含まれる。このパケット識別子（ＰＩＤ）７０２は、各トランスポートストリームパケットを識別するためのものであり、特にプログラム結合テーブル（ＰＡＴ）７１０の場合は「０ｘ００００」（「０ｘ」は１６進表記であることを示す）、ネットワーク情報テーブル（ＮＩＴ）７３０の場合は「０ｘ００１０」を示す。プログラムマップテーブル（ＰＭＴ）７２０のパケット識別子（ＰＩＤ）７０２は、後述のようにプログラム結合テーブル（ＰＡＴ）７１０により指定される。
【００４２】
パケット識別子（ＰＩＤ）７０２がこれらのテーブルを示している場合、ペイロードにはＰＳＩセクション７０３が保持される。このＰＳＩセクション７０３の内容として、パケット識別子（ＰＩＤ）７０２に示されたテーブルが保持される。
【００４３】
図６は、プログラム結合テーブル（ＰＡＴ）７１０およびプログラムマップテーブル（ＰＭＴ）７２０の構成を示す図である。図６（ａ）において、プログラム結合テーブル（ＰＡＴ）７１０の場合、テーブル識別子７１１は「０ｘ００」を示す。セクション長７１２は、その直後からプログラム結合テーブル（ＰＡＴ）７１０の最後までのバイト長を表す。ＴＳ識別子７１３は、トランスポートストリームを識別するものであり、衛星の場合にはトランスポンダに相当する。
【００４４】
繰り返し部のプログラム番号７１４とＰＩＤ７１５の対は、ＴＳ識別子７１３により識別されるトランスポートストリームに含まれるプログラムを示すものである。プログラム番号７１４は、プログラム（番組、サービス）を識別するための番号である。ＰＩＤ７１５は、プログラム番号７１４に対応するプログラムマップテーブル（ＰＭＴ）７２０のパケット識別子（ＰＩＤ）を示す。但し、プログラム番号７１４が「０ｘ００００」の場合には、このＰＩＤ７１５は、ネットワーク情報テーブル（ＮＩＴ）７３０のパケット識別子（ＰＩＤ）を示す。また、ＣＲＣ（Cyclic Redundancy Check）７１９は、誤り検出コードであり、セクション（この場合はＰＡＴ７１０）全体を処理した後に出力がゼロになるようなＣＲＣ値が選ばれる。
【００４５】
図６（ｂ）において、プログラムマップテーブル（ＰＭＴ）７２０の場合、テーブル識別子７２１は「０ｘ０２」を示す。セクション長７２２は、セクション長７１２と同様に、その直後からプログラムマップテーブル（ＰＭＴ）７２０の最後までのバイト長を表す。プログラム番号７２３は、プログラム番号７１４と同様に、プログラム（番組、サービス）を識別するための番号である。
【００４６】
繰り返し部は、プログラム番号７２３により識別されるプログラムの内容を記述するものである。ストリームタイプ７２４は、映像、音声およびデータ等の伝送される信号の種類を示すものである。エレメンタリＰＩＤ７２５は、エレメンタリストリームのパケット識別子（ＰＩＤ）を示すものである。ＥＳ情報長７２６は、その直後の記述子（ディスクリプタ）７２７の長さを示すものである。記述子（ディスクリプタ）７２７は、そのエレメンタリストリームの情報を記述するものである。また、繰り返し部に続くＣＲＣ７２９は、ＣＲＣ７１９と同様に、誤り検出コードを保持するものである。
【００４７】
このように、プログラム結合テーブル（ＰＡＴ）７１０によりプログラムマップテーブル（ＰＭＴ）７２０を指定し、プログラムマップテーブル（ＰＭＴ）７２０により映像信号７７１、音声信号７７２およびデータ信号７７３を指定するという、二重間接指定方式が採られている。連動データ取得部３１０は、このようにして得られたパケット識別子（ＰＩＤ）によってデータ信号７７３を取得する。
【００４８】
図７は、ネットワーク情報テーブル（ＮＩＴ）７３０の構成を示す図である。図７（ａ）において、ネットワーク情報テーブル（ＮＩＴ）７３０では、受信しているトランスポートストリーム７００を含むネットワーク（自ネット）に関する情報の場合、テーブル識別子７３１は「０ｘ４０」を示し、それ以外のネットワーク（他ネット）に関する情報の場合、テーブル識別子７３１は「０ｘ４１」を示す。セクション長７３２は、セクション長７１２等と同様に、その直後からネットワーク情報テーブル（ＮＩＴ）７３０の最後までのバイト長を表す。ネットワーク識別子７３３は、そのネットワークを識別するためのものである。バージョン番号７３４は、そのネットワーク情報テーブル（ＮＩＴ）７３０に含まれる情報のバージョン番号を示す。
【００４９】
ＴＳループ長７４０は、その直後の繰り返し部のバイト数を示すものである。繰り返し部では、トランスポートストリーム毎にそのトランスポートストリームに関する情報が記述される。ＴＳ識別子７４１は、プログラム結合テーブル（ＰＡＴ）７１０のＴＳ識別子７１３と同様に、トランスポートストリームを識別するものである。オリジナルネットワーク識別子７４２は、元の分配システムのネットワーク識別子を示すものであり、トランスポートストリームを発生したネットワークにおいてネットワーク情報テーブル（ＮＩＴ）７３０が伝送された場合には、ネットワーク識別子７３３と同一値となる。
【００５０】
ＴＳ記述子長７４３は、その直後の記述子（ディスクリプタ）７４４の全体のバイト数を示すものである。記述子（ディスクリプタ）７４４は、そのネットワークに関する情報を記述するものである。この記述子（ディスクリプタ）７４４としては、そのネットワークの分配システムに関する記述子や、提供されるサービス（プログラム）に関する記述子がある。また、繰り返し部に続くＣＲＣ７３９は、ＣＲＣ７１９等と同様に、誤り検出コードを保持するものである。
【００５１】
図７（ｂ）は、ネットワーク情報テーブル（ＮＩＴ）７３０の記述子（ディスクリプタ）７４４に含まれるサービスリスト記述子７６０の構成を示す図である。サービスリスト記述子７６０では、記述子タグ７６１は「０ｘ４１」を示す。記述子長７６２は、６記述子のデータ長を示す。
【００５２】
繰り返し部では、ネットワーク情報テーブル（ＮＩＴ）７３０のＴＳ識別子７４１で識別されるトランスポートストリームにおいて提供されているサービス（プログラム）に関する情報が記述される。サービス識別子（ＳＩＤ）７６３は、そのサービスを識別するためのものであり、プログラム結合テーブル（ＰＡＴ）７１０のプログラム番号７１４やプログラムマップテーブル（ＰＭＴ）７２０のプログラム番号７２３と同様のものである。サービスタイプ７６４は、そのサービス内容の種類を示すものであり、プログラムマップテーブル（ＰＭＴ）７２０のストリームタイプ７２４と同様のものである。
【００５３】
このように、ネットワーク情報テーブル（ＮＩＴ）７３０では、記述子（ディスクリプタ）７４４において、サービスリスト記述子７６０のサービス識別子（ＳＩＤ）７６３等が、各ネットワークにおけるトランスポートストリーム（チャンネル）毎に提供される。
【００５４】
図８は、本発明の実施の形態における画面表示例を説明するための図である。図８（ａ）は、連動データボタン２４１が押下されて十分な時間が経過した際に画面上に表示される連動データ表示画面の一例である。ここでは野球中継を想定し、「スコア」が選択された際の得点表示の例が示されている。他にも、「打順」や「本日の記録」などの表示を選択することができるようになっている。また、この表示例では、右上に放送番組の画面表示５０１が組み込まれている。
【００５５】
図８（ｂ）は、視聴中の放送番組の画面表示に対して本発明の実施の形態における連動データの補助画面５１０を表示した場合の例を示す図である。この補助画面５１０は、図８（ａ）に示した本来の連動データ表示画面の概要を示すものであり、例えばサムネイル画像を用いることができる。この補助画面５１０は連動データバッファ３３０に蓄積されたもののうち視聴中のチャンネルの補助画面が選択されて表示される。
【００５６】
この補助画面５１０の表示タイミングは、任意に選択できる。例えば、画面表示ボタン２４２が押下された時、入力切替ボタン２２０が押下された時、音量ボタン２６０が押下された時、数字ボタン２３０またはチャンネルボタン２７０が押下された時、コマーシャルに移行しもしくはコマーシャルから戻った時、等に補助画面５１０を表示させ、さらにその数秒後に表示を消去することが考えられる。この補助画面５１０の表示により、連動データの存在を利用者に知らせ、また、連動データボタン２４１の押下を促すことができ、連動データの利用を促進させることができる。
【００５７】
この補助画面５１０は、連動データバッファ３３０に蓄積されているため、チャンネル切替のタイミングに係わらず速やかな表示が可能である。従って、従来の受信装置においてはチャンネル切替の直後に連動データボタンが押下された場合には連動データ表示画面に切り替わるまでに「データを取得しています」といった表示がなされるだけであったが、本発明の実施の形態によれば補助画面５１０が速やかに表示され、その後表示される連動データ表示画面のイメージを利用者に把握させることができる。なお、このときの補助画面５１０には、「連動データ表示画面に切替中です...」といった表示を付記するようにしてもよい。
【００５８】
また、この補助画面５１０は本来の連動データ表示画面をそのまま縮小表示したものを用いることができる。その場合には、補助画面５１０に含まれる動画表示の部分には放送番組の内容に従って動画が表示され、テキストや画像の一部がスクロール可能とされ、また、フラッシュなどのアニメーション表示がされることがある。但し、映像デコーダ１３１にとって負荷が高いような場合には動画表示の部分を静止画により置き換えるようにしてもよい。この場合の静止画としては、バッファに蓄積されている過去の静止画を表示してもよく、また、その補助画面５１０を表示する直前のタイミングで取得した静止画を表示するようにしてもよい。
【００５９】
図９は、本発明の実施の形態における画面表示モードの例を示す図である。従来の受信装置においてはチャンネル切替時や画面表示ボタン押下時に番組情報を表示することができるようになっていたが、本発明の実施の形態では番組情報５２０に加えて補助画面５１０を表示するようにしてもよい。
【００６０】
その場合、図９のように、チャンネル切替時（すなわち、数字ボタン２３０押下時またはチャンネルボタン２７０押下時）や画面表示ボタン２４２押下時に番組情報５２０および補助画面５１０を同時に表示するのか、従来のように番組情報５２０だけを表示するのか、もしくは、放送番組の画面表示５０１以外に特に表示を行わないのか等を選択できるようにすることができる。この選択は、画面表示ボタン２４２を押下することによって図９の矢印の順に設定されるようにしてもよく、また、他のメニュー画面により設定されるようにしてもよい。
【００６１】
図１０は、本発明の実施の形態における補助画面５１０の他の表示例を示す図である。番組説明ボタン２４４が押下されると放送番組に関する番組情報５２０に加えて詳細情報５３０が表示されるが、この際に補助画面５１０を表示するようにしてもよい。詳細情報５３０は放送番組に関する一般的な情報であるが、連動データは独自に用意されたきめ細かな情報を含むことが多く、両者を同時に表示することは利用者の利便性を向上させるのに役立つ。
【００６２】
また、この詳細情報５３０とともに補助画面５１０を表示する際には、連動データに含まれるテキストデータを同時に表示するようにしてもよい。補助画面５１０におけるテキストデータ表示は縮小されているため判読し難い場合があるが、これを別途表示し直すことによってその判読を容易にすることができる。このテキストデータ表示は、連動データの全てもしくは一部であってもよい。また、スクロールバーを設けて利用者によるスクロールを可能としてもよく、また、時間経過に応じて自動的にスクロールさせるようにしてもよい。
【００６３】
図１１は、本発明の実施の形態における補助画面５１０のさらに他の表示例を示す図である。補助画面５１０は、チャンネルの一覧を表示した選局リストや録画済番組の一覧を表示したタイトルリストにおいて利用することができる。図１１（ａ）は、選局リスト等において放送番組の画面表示５０１に重ねて補助画面５１０を小さく付加した例である。これにより、利用者は放送番組に連動する連動データの存在やそのイメージを選局時またはタイトル選択時に把握することができる。
【００６４】
図１１（ｂ）は、選局リスト等において放送番組の画面表示５０１の横に補助画面５１０を並べて配置した例である。この場合、利用者は補助画面５１０の内容をより大きく認識することができ、選局またはタイトル選択に役立てることができる。
【００６５】
次に本発明の実施の形態における受信装置１００の動作について図面を参照して説明する。
【００６６】
図１２は、本発明の実施の形態における連動データ取得制御処理の流れの一例を示す図である。連動データ取得部３１０は、ＥＰＧ３９１を参照して、新規に番組が開始したか否かを判断する（ステップＳ９１１）。ここで、新規に番組が開始した場合には、その新規番組を連動データ取得対象として選択する（ステップＳ９１２）。一方、新規に番組が開始していない場合には、チャンネルリスト３９２に従って、次のチャンネルにおける番組を連動データ取得対象として選択する（ステップＳ９１３）。
【００６７】
そして、連動データ取得部３１０は、ステップＳ９１２またはＳ９１３において連動データ取得対象として選択した番組について連動データを取得する（ステップＳ９１４）。このようにして取得された連動データに基づいて、補助画面生成部３２０は補助画面を生成する（ステップＳ９１５）。このようにして生成された連動データの補助画面は、連動データバッファ３３０に蓄積される。
【００６８】
連動データの補助画面が連動データバッファ３３０に蓄積された後、ステップＳ９１１に戻り、以上の処理が繰り返される。
【００６９】
図１３は、本発明の実施の形態における表示制御処理の流れの一例を示す図である。イベント検知部３５０において所定のイベントが検知されると（ステップＳ９２１）、表示制御部３６０における表示制御が起動される。
【００７０】
このとき、モード保持部３７０に保持された補助画面表示モードが「表示する」旨に設定されている場合、表示制御部３６０は補助画面５１０を表示部３８０に表示させる（ステップＳ９２３）。一方、モード保持部３７０に保持された補助画面表示モードが「表示しない」旨に設定されている場合、表示制御部３６０は補助画面５１０を表示部３８０に表示させない（ステップＳ９２４）。
【００７１】
ステップＳ９２３において補助画面５１０が表示された場合、モード保持部３７０に保持された自動消去モードが「自動消去する」旨に設定されていれば（ステップＳ９２５）、補助画面が表示されてから予め設定された所定時間を経過しているか否かが判断され（ステップＳ９２６）、所定時間を経過した時点でその補助画面の表示が消去される（ステップＳ９２７）。
【００７２】
その後、ステップＳ９２１に戻り、以上の処理が繰り返される。
【００７３】
このように、本発明の実施の形態によれば、連動データ取得部３１０により取得された連動データに基づいて補助画面生成部３２０が補助画面５１０を生成して連動データバッファ３３０に蓄積することにより、任意のタイミングで補助画面５１０を表示部３８０に表示させることができる。
【００７４】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７５】
すなわち、請求項１において、連動データ取得手段は例えば連動データ取得部３１０に対応する。また、補助画面生成手段は例えば補助画面生成部３２０に対応する。また、連動データ保持手段は例えば連動データバッファ３３０に対応する。また、イベント検知手段は例えばイベント検知部３５０に対応する。また、表示制御手段は例えば表示制御部３６０に対応する。
【００７６】
また、請求項３において、チャンネルリスト保持手段は例えばチャンネルリスト３９２に対応する。
【００７７】
また、請求項４において、番組表保持手段は例えばＥＰＧ３９１に対応する。
【００７８】
また、請求項５において、操作入力受付手段は例えばリモコン２００またはリモコン受光部１９３に対応する。
【００７９】
また、請求項１１において、モード保持手段は例えばモード保持部３７０に対応する。
【００８０】
また、請求項１３において、受信手段は例えばフロントエンド１１０に対応する。また、連動データ取得手段は例えば連動データ取得部３１０に対応する。また、補助画面生成手段は例えば補助画面生成部３２０に対応する。また、連動データ保持手段は例えば連動データバッファ３３０に対応する。また、イベント検知手段は例えばイベント検知部３５０に対応する。また、表示制御手段は例えば表示制御部３６０に対応する。
【００８１】
また、請求項１４において、表示手段は例えば表示部３８０に対応する。
【００８２】
また、請求項１５または請求項１６において、放送信号から所定のチャンネルにおける連動データを取得する手順は例えばステップＳ９１４に対応する。また、連動データに基づいて連動データ表示画面の概要を示す補助画面を生成する手順は例えばステップＳ９１５に対応する。また、生成された補助画面を蓄積する手順は例えばステップＳ９１５に対応する。また、所定のイベントを検知する手順は例えばステップＳ９２１に対応する。また、イベントが検知されると蓄積された補助画面を表示させるよう制御する手順は例えばステップＳ９２３に対応する。
【００８３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００８４】
本発明の活用例として、例えばデジタル放送の受信装置において放送番組に連動する連動データの表示機能を利用する際に本発明を適用することができる。
【図面の簡単な説明】
【００８５】
【図１】本発明の実施の形態における受信装置１００の構成例を示す図である。
【図２】リモコン２００の外観例を示す図である。
【図３】本発明の実施の形態における受信装置１００の機能構成例を示す図である。
【図４】ＭＰＥＧ−２のトランスポートストリーム７００によるデータ構造を示す図である。
【図５】トランスポートストリーム７００のパケット構成を示す図である。
【図６】プログラム結合テーブル（ＰＡＴ）７１０およびプログラムマップテーブル（ＰＭＴ）７２０の構成を示す図である。
【図７】ネットワーク情報テーブル（ＮＩＴ）７３０の構成を示す図である。
【図８】本発明の実施の形態における画面表示例を説明するための図である。
【図９】本発明の実施の形態における画面表示モードの例を示す図である。
【図１０】本発明の実施の形態における補助画面５１０の他の表示例を示す図である。
【図１１】本発明の実施の形態における補助画面５１０のさらに他の表示例を示す図である。
【図１２】本発明の実施の形態における連動データ取得制御処理の流れの一例を示す図である。
【図１３】本発明の実施の形態における表示制御処理の流れの一例を示す図である。
【符号の説明】
【００８６】
１００  受信装置
１０９  アンテナ
１１０  フロントエンド
１１１  チューナ
１１２  復調器
１１３  誤り訂正回路
１２１  デスクランブラ
１２２  デマルチプレクサ
１３１  映像デコーダ
１３２  音声デコーダ
１３４  重ね合せ制御回路
１３５  画像合成器
１４１  映像出力部
１４２  音声出力部
１９１  プロセッサ
１９２  メモリ
１９３  リモコン受光部
１９４  入出力インターフェース
１９５  バス
２００  リモコン
２１０  電源ボタン
２２０  入力切替ボタン
２３０  数字ボタン
２４１  連動データボタン
２４２  画面表示ボタン
２４３  番組表ボタン
２４４  番組説明ボタン
２５１〜２５４  カーソル移動ボタン
２５５  決定ボタン
２６０  音量ボタン
２７０  チャンネルボタン
２９０  赤外線出力部
３１０  連動データ取得部
３２０  補助画面生成部
３３０  連動データバッファ
３４０  映像処理部
３５０  イベント検知部
３６０  表示制御部
３７０  モード保持部
３８０  表示部
３９１  ＥＰＧ
３９２  チャンネルリスト
【図１】
2006135866.tif 000003
【図２】
2006135866.tif 000004
【図３】
2006135866.tif 000005
【図４】
2006135866.tif 000006
【図５】
2006135866.tif 000007
【図６】
2006135866.tif 000008
【図７】
2006135866.tif 000009
【図８】
2006135866.tif 000010
【図９】
2006135866.tif 000011
【図１０】
2006135866.tif 000012
【図１１】
2006135866.tif 000013
【図１２】
2006135866.tif 000014
【図１３】
2006135866.tif 000015
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
放送信号から所定のチャンネルにおける連動データを取得する連動データ取得手段と、
前記連動データに基づいて連動データ表示画面の概要を示す補助画面を生成する補助画面生成手段と、
前記補助画面生成手段で生成された前記補助画面を蓄積する連動データ保持手段と、
所定のイベントを検知するイベント検知手段と、
前記イベント検知手段において前記イベントが検知されると前記連動データ保持手段に蓄積された前記補助画面を表示させるよう制御する表示制御手段と
を具備することを特徴とする表示制御装置。
【請求項２】
前記チャンネルは視聴中のチャンネル以外のチャンネルであることを特徴とする請求項１記載の表示制御装置。
【請求項３】
前記放送信号に含まれるチャンネルのリストを保持するチャンネルリスト保持手段をさらに具備し、
前記連動データ取得手段は、前記チャンネルリスト保持手段に保持されたチャンネルリストに従って連動データを取得する
ことを特徴とする請求項１記載の表示制御装置。
【請求項４】
前記放送信号に含まれる番組表を保持する番組表保持手段をさらに具備し、
前記連動データ取得手段は、前記チャンネルリスト保持手段に保持されたチャンネルリストに従って連動データを取得する際に所定の時刻が到来することにより新規に番組が開始した場合にはその新規番組を含むチャンネルの連動データを優先して取得する
ことを特徴とする請求項３記載の表示制御装置。
【請求項５】
操作入力を受け付ける操作入力受付手段をさらに具備し、
前記イベント検知手段は、前記操作入力受付手段により受け付けられた操作入力に応じて前記イベントを検知する
ことを特徴とする請求項１記載の表示制御装置。
【請求項６】
前記イベント検知手段は、前記操作入力受付手段における画面表示ボタンが押下された際に前記イベントを検知する
ことを特徴とする請求項５記載の表示制御装置。
【請求項７】
前記イベント検知手段は、前記操作入力受付手段における入力切替ボタンが押下された際に前記イベントを検知する
ことを特徴とする請求項５記載の表示制御装置。
【請求項８】
前記イベント検知手段は、前記操作入力受付手段における音量ボタンが押下された際に前記イベントを検知する
ことを特徴とする請求項５記載の表示制御装置。
【請求項９】
前記イベント検知手段は、前記操作入力受付手段における数字ボタンまたはチャンネルボタンが押下された際に前記イベントを検知する
ことを特徴とする請求項５記載の表示制御装置。
【請求項１０】
前記イベント検知手段は、視聴中の番組においてコマーシャルに移行しもしくはコマーシャルから戻った際に前記イベントを検知する
ことを特徴とする請求項１記載の表示制御装置。
【請求項１１】
前記補助画面を表示させる際の表示モードを保持するモード保持手段をさらに具備し、
前記表示制御手段は、前記表示モードが表示を指定している場合に限り前記補助画面を表示させる
ことを特徴とする請求項１記載の表示制御装置。
【請求項１２】
前記表示制御手段は、前記表示モードが自動消去を指定している場合には前記補助画面の表示を所定時間経過後に消去させる
ことを特徴とする請求項１１記載の表示制御装置。
【請求項１３】
放送信号を受信する受信手段と、
前記放送信号から所定のチャンネルにおける連動データを取得する連動データ取得手段と、
前記連動データに基づいて連動データ表示画面の概要を示す補助画面を生成する補助画面生成手段と、
前記補助画面生成手段で生成された前記補助画面を蓄積する連動データ保持手段と、
所定のイベントを検知するイベント検知手段と、
前記イベント検知手段において前記イベントが検知されると前記連動データ保持手段に蓄積された前記補助画面を表示させるよう制御する表示制御手段と
を具備することを特徴とする受信装置。
【請求項１４】
前記表示制御手段による制御に従って前記補助画面を表示する表示手段をさらに具備することを特徴とする請求項１３記載の受信装置。
【請求項１５】
放送信号から所定のチャンネルにおける連動データを取得する手順と、
前記連動データに基づいて連動データ表示画面の概要を示す補助画面を生成する手順と、
前記生成された補助画面を蓄積する手順と、
所定のイベントを検知する手順と、
前記イベントが検知されると前記蓄積された補助画面を表示させるよう制御する手順と
を具備することを特徴とする表示制御方法。
【請求項１６】
放送信号から所定のチャンネルにおける連動データを取得する手順と、
前記連動データに基づいて連動データ表示画面の概要を示す補助画面を生成する手順と、
前記生成された補助画面を蓄積する手順と、
所定のイベントを検知する手順と、
前記イベントが検知されると前記蓄積された補助画面を表示させるよう制御する手順と
をコンピュータに実行させることを特徴とするプログラム。